(57)【要約】【課題】低コストで多数の可変風量制御装置（ＶＡＶ）が接続可能な空調システムを実現する。【解決手段】空気調和装置に接続される可変風量制御装置の制御演算装置を用いた空調システムにおいて、空気調和装置と、空気調整装置から送出される空気の風量を調整する複数の可変風量制御装置と、これら複数の可変風量制御装置の複数の出力ネットワーク変数が１つの入力ネットワーク変数にそれぞれ接続され、この入力ネットワーク変数での受信データのパケットの詳細情報に基づき分類して可変風量制御装置を特定し、特定された複数の可変風量制御装置からの出力に基づき空気調和装置への設定値を演算して出力する制御演算装置とを設ける。【選択図】                    図１
2004353888.tif 000002
【特許請求の範囲】
【請求項１】
空気調和装置に接続される可変風量制御装置の制御演算装置を用いた空調システムにおいて、
前記空気調和装置と、
空気調整装置から送出される空気の風量を調整する複数の可変風量制御装置と、
これら複数の可変風量制御装置の複数の出力ネットワーク変数が１つの入力ネットワーク変数にそれぞれ接続され、この入力ネットワーク変数での受信データのパケットの詳細情報に基づき分類して前記可変風量制御装置を特定し、特定された前記複数の可変風量制御装置からの出力に基づき前記空気調和装置への設定値を演算して出力する制御演算装置と
を備えたことを特徴とする空調システム。
【請求項２】
前記制御演算装置が、
前記詳細情報に基づきサブネット及びノード単位で分類することを特徴とする請求項１記載の空調システム。
【請求項３】
前記制御演算装置が、
前記複数の可変風量制御装置に対してデータ要求をすることにより、前記複数の可変風量制御装置からの出力を取得することを特徴とする
請求項１若しくは請求項２記載の空調システム。
【請求項４】
前記制御演算装置が、
前記複数の可変風量制御装置に対して定期的にデータ要求をすることを特徴とする
請求項３記載の空調システム。
【請求項５】
前記可変風量制御装置が、
周期的にデータを前記制御演算装置に送信することを特徴とする
請求項１若しくは請求項２記載の空調システム。
【請求項６】
前記可変風量制御装置が、
可変風量制御装置側で値の変動があった場合にデータを前記制御演算装置に送信することを特徴とする
請求項１若しくは請求項２記載の空調システム。
【請求項７】
前記制御演算装置が、
前記複数の可変風量制御装置からの全ての出力の論理和演算を取ることことを特徴とする
請求項１若しくは請求項２記載の空調システム。
【発明の詳細な説明】
【０００１】
【発明の属する技術分野】
本発明は、空気調和装置（ＡＨＵ：Ａｉｒ  Ｈａｎｄｌｉｎｇ  Ｕｎｉｔ）に接続されるＬｏｎＷｏｒｋｓ（米国エシェロン社／Ｅｃｈｅｌｏｎ  Ｃｏｒｐｏｒａｔｉｏｎの登録商標）対応の可変風量制御装置（ＶＡＶ：Ｖａｒｉａｂｌｅ  Ａｉｒ  Ｖｏｌｕｍｅ）の制御演算装置を用いた空調システムに関し、特に低コストで多数の可変風量制御装置（ＶＡＶ）が接続可能な空調システムに関する。
【０００２】
【従来の技術】
空気調和装置（ＡＨＵ）に接続されるＬｏｎＷｏｒｋｓ対応の可変風量制御装置（ＶＡＶ）の制御演算装置を用いた空調システムに関連する先行技術文献としては次のようなものがある。
【０００３】
【特許文献１】
特開２００２−３７２２８７号公報
【特許文献２】
特開２００３−０４６５０５号公報
【特許文献３】
特開２００３−０４６５２１号公報
【０００４】
図６はこのような従来のＬｏｎＷｏｒｋｓ対応の可変風量制御装置（ＶＡＶ）の制御演算装置を用いた空調システムの一例を示す構成ブロック図である。
【０００５】
図６において１，２，３及び４は空気調整装置から送出される空気の風量を調整する可変風量制御装置（ＶＡＶ）、５は各可変風量制御装置（ＶＡＶ）からの出力に基づき空気調和装置（ＡＨＵ）への設定値を演算して出力する制御演算装置、６は設定値に基づき温度や風量を制御した空気を送出する空気調和装置（ＡＨＵ）である。
【０００６】
可変風量制御装置１，２，３及び４のそれぞれの入出力は制御演算装置５に接続され、制御演算装置５の入出力は空気調和装置６に接続される。
【０００７】
ここで、図６に示す従来例の動作を説明する。但し、ＬｏｎＷｏｒｋｓではネットワーク変数と呼ばれる機器間で共有できる変数により各機器間（可変風量制御装置と制御演算装置との間、若しくは、制御演算装置と空気調和装置との間）が相互に接続されている。
【０００８】
例えば、可変風量制御装置１，２，３及び４のネットワーク変数”ＮＶ０１”、”ＮＶ０３”、”ＮＶ０５”及び”ＮＶ０７”からは”要求風量”が出力され、これらのネットワーク変数は制御演算装置５のネットワーク変数”ＮＶ１１”、”ＮＶ１３”，”ＮＶ１５”、及び”ＮＶ１７”にそれぞれ接続される。
【０００９】
このため、制御演算装置５側ではネットワーク変数”ＮＶ１１”、”ＮＶ１３”、”ＮＶ１５”及び”ＮＶ１７”の値を参照することにより、各可変風量制御装置１，２，３及び４における”要求風量”を取得することができる。
【００１０】
例えば、同様に、可変風量制御装置１，２，３及び４のネットワーク変数”ＮＶ０２”、”ＮＶ０４”、”ＮＶ０６”及び”ＮＶ０８”からは”設定温度”が出力され、これらのネットワーク変数は制御演算装置５のネットワーク変数”ＮＶ１２”、”ＮＶ１４”、”ＮＶ１６、及び”ＮＶ１８にそれぞれ接続される。
【００１１】
このため、制御演算装置５側ではネットワーク変数”ＮＶ１２”、”ＮＶ１４”、”ＮＶ１６”及び”ＮＶ１８”の値を参照することにより、各可変風量制御装置１，２，３及び４における”設定温度”を取得することができる。
【００１２】
その後、制御演算装置５は可変風量制御装置１，２，３及び４から出力される”要求風量”、”設定温度”、”ダンパ開度”、若しくは、”運転状態”を取り込み、正常運転中の可変風量制御装置からの出力に基づき”総要求風量”、”最大要求風量”、”平均設定温度”、若しくは、”ダンパ開度情報”等の設定値を演算して空気調和装置６に出力する。
【００１３】
この時、制御演算装置５はネットワーク変数”ＮＶ１９”、”ＮＶ１Ａ”、”ＮＶ１Ｂ”及び”ＮＶ１Ｃ”から演算した設定値を出力し、これらのネットワーク変数が接続されているネットワーク変数”ＮＶ２１”、”ＮＶ２２”、”ＮＶ２３”及び”ＮＶ２４”の値を参照することにより空気調和装置６側では設定値を取得する。
【００１４】
この結果、制御演算装置５が各可変風量制御装置１〜４からの”要求風量”等の出力に基づき”総要求風量”等の設定値を演算して空気調和装置６に出力して風量等を制御することにより、空調システムを構成することができる。
【００１５】
【発明が解決しようとする課題】
しかし、図６に示す従来例では制御演算装置５が可変風量制御装置からの出力をもれなく取得するためには、可変風量制御装置の台数分の出力に対応するネットワーク変数を用意する必要性がある。
【００１６】
但し、ＬｏｎＷｏｒｋｓに対応したニューロンチップを用いた場合には、当該ネットワーク変数は最大６２個に制約されてしまうため、１つの制御演算装置５に接続できる可変風量制御装置の台数は機器間で共有するネットワーク変数の数によって制限されてしまうと言った問題点があった。
【００１７】
また、このような問題点を回避するためにニューロンチップを通信にのみ用い、アプリケーションを別個のＣＰＵ（Ｃｅｎｔｒａｌ  Ｐｒｏｃｅｓｓｉｎｇ  Ｕｎｉｔ）で実行させる構成にすれば、最大４０９６個のネットワーク変数を用いることが可能になるものの、ハードウェアのコストが増加し、ニューロンチップ側では専用のＭＩＰ（Ｎｉｃｒｏ−ｐｒｏｃｅｓｓｏｒ  Ｉｎｔｅｒｆａｃｅ  Ｐｒｏｇｒａｍ）を導入する必要性がありこれもまたコストアップにつながってしまうと言った問題点があった。
従って本発明が解決しようとする課題は、低コストで多数の可変風量制御装置（ＶＡＶ）が接続可能な空調システムを実現することにある。
【００１８】
【課題を解決するための手段】
このような課題を達成するために、本発明のうち請求項１記載の発明は、
空気調和装置に接続される可変風量制御装置の制御演算装置を用いた空調システムにおいて、
前記空気調和装置と、空気調整装置から送出される空気の風量を調整する複数の可変風量制御装置と、これら複数の可変風量制御装置の複数の出力ネットワーク変数が１つの入力ネットワーク変数にそれぞれ接続され、この入力ネットワーク変数での受信データのパケットの詳細情報に基づき分類して前記可変風量制御装置を特定し、特定された前記複数の可変風量制御装置からの出力に基づき前記空気調和装置への設定値を演算して出力する制御演算装置とを備えたことにより、特段ハードウェア的或いはソフトウェア的な追加をすることなく、制御演算装置側で必要なネットワーク変数（入力ネットワーク変数）の数が大幅に緩和されるので低コストで多数の可変風量制御装置の接続が可能になる。
【００１９】
請求項２記載の発明は、
請求項１記載の発明である空調システムにおいて、
前記制御演算装置が、
前記詳細情報に基づきサブネット及びノード単位で分類することにより、特段ハードウェア的或いはソフトウェア的な追加をすることなく、制御演算装置側で必要なネットワーク変数（入力ネットワーク変数）の数が大幅に緩和されるので低コストで多数の可変風量制御装置の接続が可能になる。
【００２０】
請求項３記載の発明は、
請求項１若しくは請求項２記載の発明である空調システムにおいて、
前記制御演算装置が、
前記複数の可変風量制御装置に対してデータ要求をすることにより、前記複数の可変風量制御装置からの出力を取得することにより、特段ハードウェア的或いはソフトウェア的な追加をすることなく、制御演算装置側で必要なネットワーク変数（入力ネットワーク変数）の数が大幅に緩和されるので低コストで多数の可変風量制御装置の接続が可能になる。
【００２１】
請求項４記載の発明は、
請求項３記載の発明である空調システムにおいて、
前記制御演算装置が、
前記複数の可変風量制御装置に対して定期的にデータ要求をすることにより、特段ハードウェア的或いはソフトウェア的な追加をすることなく、制御演算装置側で必要なネットワーク変数（入力ネットワーク変数）の数が大幅に緩和されるので低コストで多数の可変風量制御装置の接続が可能になる。
【００２２】
請求項５記載の発明は、
請求項１若しくは請求項２記載の発明である空調システムにおいて、
前記可変風量制御装置が、
周期的にデータを前記制御演算装置に送信することにより、特段ハードウェア的或いはソフトウェア的な追加をすることなく、制御演算装置側で必要なネットワーク変数（入力ネットワーク変数）の数が大幅に緩和されるので低コストで多数の可変風量制御装置の接続が可能になる。
【００２３】
請求項６記載の発明は、
請求項１若しくは請求項２記載の発明である空調システムにおいて、
前記可変風量制御装置が、
可変風量制御装置側で値の変動があった場合にデータを前記制御演算装置に送信することにより、特段ハードウェア的或いはソフトウェア的な追加をすることなく、制御演算装置側で必要なネットワーク変数（入力ネットワーク変数）の数が大幅に緩和されるので低コストで多数の可変風量制御装置の接続が可能になる。
【００２４】
請求項７記載の発明は、
請求項１若しくは請求項２記載の発明である空調システムにおいて、
前記制御演算装置が、
前記複数の可変風量制御装置からの全ての出力の論理和演算を取ることにより、特段ハードウェア的或いはソフトウェア的な追加をすることなく、制御演算装置側で必要なネットワーク変数（入力ネットワーク変数）の数が大幅に緩和されるので低コストで多数の可変風量制御装置の接続が可能になる。
【００２５】
【発明の実施の形態】
以下本発明を図面を用いて詳細に説明する。図１は本発明に係る空気調和装置（ＡＨＵ）に接続されるＬｏｎＷｏｒｋｓ対応の可変風量制御装置（ＶＡＶ）の制御演算装置を用いた空調システムの一実施例を示す構成ブロック図である。
【００２６】
図１において１，２，３，４及び６は図６と同一符号を付してあり、７は各可変風量制御装置（ＶＡＶ）からの出力に基づき空気調和装置（ＡＨＵ）への設定値を演算して出力する制御演算装置である。
【００２７】
可変風量制御装置１，２，３及び４のそれぞれの入出力は制御演算装置７に接続され、制御演算装置７の入出力は空気調和装置６に接続される。但し、可変風量制御装置１，２，３及び４からの出力は制御演算装置７側の１つのネットワーク変数に接続される。
【００２８】
例えば、可変風量制御装置１，２，３及び４のネットワーク変数（出力ネットワーク変数）”ＮＶ０１”、”ＮＶ０３”、”ＮＶ０５”及び”ＮＶ０７”からは”要求風量”が出力され、これらのネットワーク変数は制御演算装置７の１つのネットワーク変数（入力ネットワーク変数）”ＮＶ３１”にそれぞれ接続される。
【００２９】
同様に、例えば、可変風量制御装置１，２，３及び４のネットワーク変数（出力ネットワーク変数）”ＮＶ０２”、”ＮＶ０４”、”ＮＶ０６”及び”ＮＶ０８”からは”設定温度”が出力され、これらのネットワーク変数は制御演算装置７の１つのネットワーク変数（入力ネットワーク変数）”ＮＶ３２”にそれぞれ接続される。
【００３０】
ここで、図１に示す実施例の動作を図２、図３及び図４を用いて説明する。図２及び図３は制御演算装置７と各可変風量制御装置１〜４間の通信状態を説明する説明図、図４は受信データの分類状態を説明する説明図である。
【００３１】
ＬｏｎＷｏｒｋｓでは入力ネットワーク変数でもプログラム内で”ｐｏｌｌｅｄ属性”を宣言すれば出力ネットワーク変数の値を要求することが可能である。
【００３２】
従って、演算機能がリセットされると制御演算装置７のネットワーク変数（入力ネットワーク変数）”ＮＶ３１”は接続されている可変風量制御装置１〜４のネットワーク変数（出力ネットワーク変数）”ＮＶ０１”、”ＮＶ０３”、”ＮＶ０５”及び”ＮＶ０７”に対して図２中”ＲＱ１１”、”ＲＱ１２”、”ＲＱ１３”及び”ＲＱ１４”に示すようにデータ要求を送信する。
【００３３】
そして、図３中”ＲＳ２１”、”ＲＳ２２”、”ＲＳ２３”及び”ＲＳ２４”に示すように各可変風量制御装置１〜４からの出力がネットワーク変数”ＮＶ３１”で受信された場合、制御演算装置７は受信データのパケットの詳細情報に基づき受信データの送信元のアドレス毎に値を分類して図４に示すようなテーブルを作成する。
【００３４】
例えば、受信側ではパケットの詳細情報は以下に示すフォーマットによって分かるので、当該機能を用いて受信データの送信元のアドレス毎に値を分類してテーブルを作成する。
2004353888.tif 000003
【００３５】
図４においてはサブネット及びノード単位に出力ネットワーク変数の値が分類されており、例えば、可変風量制御装置１のサブネットが”１”、ノードが”７”であれば可変風量制御装置１からの出力（要求風量）は”１０．００”であり、同様にして各可変風量制御装置からの出力（要求風量）を取得することができる。
【００３６】
この結果、複数の可変風量制御装置のネットワーク変数（出力ネットワーク変数）を制御演算装置７の１つのネットワーク変数（入力ネットワーク変数）にそれぞれ接続させ、受信データのパケットの詳細情報に基づき受信データの送信元のアドレス毎に値を分類し、当該分類により可変風量制御装置を特定することにより、特段ハードウェア的或いはソフトウェア的な追加をすることなく、制御演算装置７側で必要なネットワーク変数（入力ネットワーク変数）の数が大幅に緩和されるので低コストで多数の可変風量制御装置の接続が可能になる。
【００３７】
なお、図１に示す実施例の説明に際しては制御演算装置７側からのデータ要求をトリガとして各可変風量制御装置からの出力を受信していたが、当該データ要求を定周期で行って各可変風量制御装置からの出力を取得しても勿論構わない。
【００３８】
また、図１に示す実施例の説明に際しては制御演算装置７側からのデータ要求をトリガとして各可変風量制御装置からの出力を受信していたが、可変風量制御装置側で周期的にデータを制御演算装置７に送信して制御演算装置７に出力を取得させても構わない。
【００３９】
また、可変風量制御装置は周期的ではなく、可変風量制御装置側で値の変動があった場合にデータを制御演算装置７に送信して制御演算装置７に出力を取得させても構わない。
【００４０】
また、図１に示す実施例では各可変風量制御装置の異なる出力を送信元のアドレス毎に分類して可変風量制御装置からの出力を分類していたが、全ての出力の論理和演算（ＯＲ演算）を取ることによって、アラームのような情報を取り扱っても構わない。
【００４１】
図５はこのような全ての出力の論理和演算（ＯＲ演算）を取る場合の一例を示す構成ブロック図である。
【００４２】
図５において８，９及び１０は空気調整装置から送出される冷風等の風量を調整する可変風量制御装置、１１は各可変風量制御装置からの出力に基づき空気調和装置への設定値を演算して出力する制御演算装置である。
【００４３】
可変風量制御装置８，９及び１０のそれぞれの入出力は制御演算装置１１に接続される。但し、可変風量制御装置８，９及び１０からの出力は制御演算装置１１側の１つのネットワーク変数に接続される。
【００４４】
例えば、可変風量制御装置８，９及び１０のネットワーク変数（出力ネットワーク変数）”Ａｌａｒｍ０”、”Ａｌａｒｍ１”及び”Ａｌａｒｍ２”からは”警報情報”が出力され、これらのネットワーク変数は制御演算装置１１の１つのネットワーク変数（入力ネットワーク変数）”Ａｌａｒｍ３”にそれぞれ接続される。
【００４５】
図５に示す構成の場合、制御演算装置１１では各可変風量制御装置からの”警報情報”は論理和演算（ＯＲ演算）によって処理されるので、いずれか１つの可変風量制御装置から”警報情報”が出力されれば空調システム全体の警報として処理することが可能になる。
【００４６】
また、単に、空調システムのみならず、各可変風量制御装置を分散配置された監視装置と、制御演算装置を中央監視装置とそれぞれ見なせば、遠隔監視装置にも適用することが可能である。
【００４７】
また、図１に示す実施例では複数の可変風量制御装置と制御演算装置と間での通信データの衝突回避方法に関しては特に例示していないが、ＬＡＮ（Ｌｏｃａｌ  Ａｒｅａ  Ｎｅｔｗｏｒｋ）等において用いられているＣＳＭＡ／ＣＤ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ｄｅｔｅｃｔｉｏｎ）のアクセス制御方式を用いてることにより衝突回避等を図ることが可能になる。
【００４８】
【発明の効果】
以上説明したことから明らかなように、本発明によれば次のような効果がある。
請求項１，２，３，４，５，６及び請求項７の発明によれば、複数の可変風量制御装置のネットワーク変数（出力ネットワーク変数）を制御演算装置の１つのネットワーク変数（入力ネットワーク変数）にそれぞれ接続させ、受信データのパケットの詳細情報に基づき受信データの送信元のアドレス毎に値を分類し、当該分類により可変風量制御装置を特定することにより、特段ハードウェア的或いはソフトウェア的な追加をすることなく、制御演算装置側で必要なネットワーク変数（入力ネットワーク変数）の数が大幅に緩和されるので低コストで多数の可変風量制御装置の接続が可能になる。
【図面の簡単な説明】
【図１】ＬｏｎＷｏｒｋｓ対応の可変風量制御装置（ＶＡＶ）の制御演算装置を用いた空調システムの一実施例を示す構成ブロック図である。
【図２】制御演算装置と各可変風量制御装置間の通信状態を説明する説明図である。
【図３】制御演算装置と各可変風量制御装置間の通信状態を説明する説明図である。
【図４】受信データの分類状態を説明する説明図である。
【図５】全ての出力の論理和演算（ＯＲ演算）を取る場合の一例を示す構成ブロック図である。
【図６】従来のＬｏｎＷｏｒｋｓ対応の可変風量制御装置（ＶＡＶ）の制御演算装置を用いた空調システムの一例を示す構成ブロック図である。
【符号の説明】
１，２，３，４，８，９，１０  可変風量制御装置（ＶＡＶ）
５，７，１１  制御演算装置
６  空気調和装置（ＡＨＵ）
【図１】
2004353888.tif 000004
【図２】
2004353888.tif 000005
【図３】
2004353888.tif 000006
【図４】
2004353888.tif 000007
【図５】
2004353888.tif 000008
【図６】
2004353888.tif 000009